(57)【要約】      （修正有） 【課題】簡易で誰でも手軽に携帯電話の動画や写真などを鑑賞することができ、表示画面やレンズに対する外部からの入光を抑制して、携帯電話の表示画面をより視認しやすい表示画面拡大具を提供する。【解決手段】携帯電話の表示画面の画像を拡大して視認することができる表示画面拡大具１０であって、携帯電話載置面部１２と、携帯電話載置面部の先端部に折曲して連設されたレンズ面部１４と、携帯電話載置面部の後端部に折曲して連設されると共に先端部がレンズ面部の先端部に接合された背面部１８とを備え、レンズ面部を介して携帯電話載置面部に載置された携帯電話の表示画面を拡大して視認しうる構成とする。【選択図】図１
0003195939.tif 000002
【実用新案登録請求の範囲】
【請求項１】
携帯電話の表示画面の画像を拡大して視認することができる表示画面拡大具であって、
携帯電話載置面部と、前記携帯電話載置面部の先端部に折曲して連設されたレンズ面部と、前記携帯電話載置面部の後端部に折曲して連設されると共に先端部が前記レンズ面部の先端部に接合された背面部とを備え、前記レンズ面部を介して前記携帯電話載置面部に載置された携帯電話の表示画面を拡大して視認しうることを特徴とする表示画面拡大具。
【請求項２】
全体略長さ方向両端部が開放された三角柱状に形成され、前記背面部には前記レンズ面部上に突出する遮光片部が設けられていることを特徴とする請求項１記載の表示画面拡大具。
【請求項３】
前記遮光片部は、前記背面部に沿って前記レンズ面部上に張り出す第一の遮光片と、前記背面部の両端部からレンズ面部に直交して突設された第二の遮光片とからなることを特徴とする請求項２記載の表示画面拡大具。
【請求項４】
前記携帯電話載置面部には、携帯電話の幅方向一端部を前記携帯電話載置面部一般面から離間して支持することができる突起部が設けられていることを特徴とする請求項１記載の表示画面拡大具。
【請求項５】
１枚のシートを折曲して形成されることを特徴とする請求項１記載の表示画面拡大具。
【考案の詳細な説明】
【技術分野】
【０００１】
本考案は、携帯電話の表示画面を拡大して視認しうる拡大具に関する。
【背景技術】
【０００２】
携帯電話の表示画面に映し出される動画や写真などを拡大レンズを通じて観ると、映像や写真に歪みが加わって観えるため、錯覚により、あたかも立体的であるかのように感じ、拡大レンズを通さずに鑑賞する場合とは異なる感覚を楽しむことが出来る。
【０００３】
前記のような楽しみ方は、一定時間に亘って鑑賞することから、従来のような手持ちの拡大鏡を持った状態での鑑賞は好ましくなかった。また、両目其々のレンズを設置して、レンズに眼を近づけて覗き込む拡大鏡装置では、眼が疲れてしまうため、手軽に鑑賞することが出来ないという不具合を抱えていた。前記のような不具合を解消し、且つ簡易で誰でも手軽に利用出来る携帯電話の表示画面の拡大具が望まれていた。
【０００４】
そこで、前記の要望に応えるスマートフォン専用スタンドが特許文献１により開示されている。特許文献１では、スマートフォンを手で支えなくとも、支持片とつめの間にスマートフォンを挟むことにより自立させることができ、且つ自立させた状態において、スマートフォンの表示画面を拡大レンズを通じて見ることが出来る。
【０００５】
しかしながら、スマートフォンなどの携帯電話の表示画面は、室内の照明や屋外の太陽光といった外部からの入光により、表示画面に表示された映像や写真などの表示物を鮮明に観ることが出来ないという事態が起こり、特許文献１のスマートフォン専用スタンドは、このような事態を回避できるものではなかった。
【０００６】
前記のような事態を回避しうる拡大具としては、特許文献２のように全体を横断面コの字状の略筒状に形成して、一方の対向面にレンズを設けたものが開示されている。特許文献２は、直方体筒状部の内部へと携帯電話のディスプレイ部を挿入して、レンズを通じてディスプレイを視認するため、ディスプレイに対して直接に外部からの光が入ることはなかった。しかしながら、もっと簡易に組立てることが可能で、気軽に楽しめる拡大具が望まれていた。
【特許文献１】登録実用新案第３１８５６４９号
【特許文献２】登録実用新案第３１３３２４４号
【考案の開示】
【考案が解決しようとする課題】
【０００７】
そこで、本考案は、このような従来の要請に基づくものであって、簡易で誰でも手軽にスマートフォン等の携帯電話の動画や写真などを鑑賞することができ、表示画面やレンズに対する外部からの入光を抑制して、スマートフォン等の携帯電話の表示画面をより視認しやすい表示画面拡大具を提供することを課題とする。
【課題を解決するための手段】
【０００８】
前記課題を解決するために、請求項１に記載の表示画面拡大具にあっては、携帯電話の表示画面の画像を拡大して視認することができる表示画面拡大具であって、携帯電話載置面部と、前記携帯電話載置面部の先端部に折曲して連設されたレンズ面部と、前記携帯電話載置面部の後端部に折曲して連設されると共に先端部が前記レンズ面部の先端部に接合された背面部とを備え、前記レンズ面部を介して前記携帯電話載置面部に載置された携帯電話の表示画面を拡大して視認しうることを特徴とする。
【０００９】
従って、請求項１に記載の表示画面拡大具は、レンズ面部の先端部と背面部とを接合することにより、携帯電話載置面部、レンズ面部及び背面部の３つの面部から構成される筒状体に形成され、筒状体内部への入光は抑制される。
【００１０】
請求項２に記載の表示画面拡大具にあっては、全体略長さ方向両端部が開放された三角柱状に形成され、前記背面部には前記レンズ面部上に突出する遮光片部が設けられていることを特徴とする。
【００１１】
従って、請求項２に記載の表示画面拡大具は、携帯電話載置面部とレンズ面部との角度は、鋭角に形成される。両端部の開放面のうち何れかより携帯電話を挿入して、内方の携帯電話載置面部上に携帯電話が載置される。また、レンズ面部上に突出する遮光片部が設けられていることにより、太陽光や照明などの周囲からの入光について、レンズ面部上からのレンズへの入光が遮光される。
【００１２】
請求項３に記載の表示画面拡大具にあっては、前記遮光片部は、前記背面部に沿って前記レンズ面部上に張り出す第一の遮光片と、前記背面部の両端部からレンズ面部に直交して突設された第二の遮光片とからなることを特徴とする。
【００１３】
従って、請求項３に記載の表示画面拡大具は、遮光片部は、レンズ面部上に張り出す第一の遮光片と、レンズ面部に直交して突設された第二の遮光片とから構成されるため、太陽光や照明などの周囲からの入光について、３方向からのレンズへの入光が各遮光片によって遮光される。
【００１４】
請求項４に記載の表示画面拡大具にあっては、前記携帯電話載置面部には、携帯電話の幅方向一端部を前記携帯電話載置面部一般面から離間して支持することができる突起部が設けられていることを特徴とする。
【００１５】
従って、携帯電話の幅方向において、一般面に対する載置角度を設けることが出来る。
【００１６】
請求項５に記載の表示画面拡大具にあっては、１枚のシートを折曲して形成されることを特徴とする。
【考案の効果】
【００１７】
請求項１に記載の表示画面拡大具にあっては、レンズ面部の先端部と背面部とを接合することにより、携帯電話載置面部、レンズ面部及び背面部の３つの面部から構成される筒状体に形成されるため、構造が複雑でなく、組み立てが容易で、低コストで製造することが出来る。また、前記筒状体内部への入光は抑制されるため、携帯電話の画面に周囲からの光があたって鑑賞しにくくなるという事態を回避することが出来る。
【００１８】
請求項２及び３に記載の表示画面拡大具にあっては、携帯電話載置面部とレンズ面部との角度は、鋭角に形成される。従って、携帯電話を携帯電話載置面部に載置した際には、表示画面とレンズ面の角度が鋭角に配置されるため、利用者はディスプレイを視認しやすい。
【００１９】
両端部の開放面のうち何れかより携帯電話を挿入して、内方の携帯電話載置面部上に携帯電話が載置することが出来るので、表示画面拡大具への携帯電話の出し入れが容易となる。
【００２０】
また、レンズ面部上に突出する遮光片部が設けられていることにより、太陽光や照明などの周囲からの入光について、レンズ面部上からのレンズへの入光が遮光されるため、レンズにおける照り返し等を抑制し、表示画面を視認しやすい。
【００２１】
請求項４に記載の表示画面拡大具にあっては、携帯電話の幅方向において、一般面に対する載置角度を設けることが出来るため、例えば、携帯電話の表示画面をレンズ面との角度が小さくなるように載置角度を設けることにより、利用者は、携帯電話の表示画面をより正面から鑑賞することができ、視認しやすい。
【００２２】
請求項５に記載の表示画面拡大具にあっては、１枚のシートを折曲して形成されるため、製造コストを抑えることができ、且つ、印刷を施すことが出来る。例えば、キャラクターの印刷を施してグッズとして販売すれば、利用者は、自身の携帯電話を載置して前記キャラクターの動画や画像を鑑賞して楽しむことも出来る。
【図面の簡単な説明】
【００２３】
【図１】図１は、本考案に係る表示画面拡大具の第一の実施の形態を示した斜視図である。
【図２】図２は、本考案に係る表示画面拡大具の第一の実施の形態を示し、携帯電話載置面部に設けられた突起部を起こし、携帯電話を載置した状態を示した側面図である。
【図３】図３は、本考案に係る表示画面拡大具の第一の実施の形態を示した展開図である。
【図４】図４は、本考案に係る表示画面拡大具の第二の実施の形態を示した斜視図である。
【図５】図５は、本考案に係る表示画面拡大具の第二の実施の形態を示した展開図である。
【考案を実施するための最良の形態】
【００２４】
以下、本考案に係る表示画面拡大具を第一の実施の形態に基づき、図面を参照して詳細に説明する。
【００２５】
図１〜図３に示すように、本実施の形態に係る表示画面拡大具１０は、携帯電話の表示画面の画像を拡大して視認することができる。
表示画面拡大具１０は、１枚のシート１１を折曲して形成されており、携帯電話載置面部１２と、携帯電話載置面部１２の先端部１３に折曲して連設されたレンズ面部１４と、携帯電話載置面部１２の後端部１５に折曲して連設されると共に先端部１６がレンズ面部の先端部１７に接合された背面部１８とを備えている。
【００２６】
レンズ面部１４は中央に長方形状の開口部１９が設けられ、開口部１９には、裏面側より開口部１９よりも大きい面積に形成された倍率３倍のシートレンズ２０が粘着テープ（図示せず）により貼付固定されている。前記レンズ面部１４を介して携帯電話載置面部１２に載置された携帯電話２１の表示画面２２を拡大して視認することが出来る。
【００２７】
背面部１８の先端部１６には、所定間隔を空けて２つの係合切込部２４が背面部１８の長さ方向に沿って設けられていると共に、レンズ面部の先端部１７には、幅方向において前記係合切込部２４に対応する位置に２つの係合突起部２５が略長方形状に形成して設けられており、互いに係合することにより接合されている。
【００２８】
表示画面拡大具１０は、全体略長さ方向両端部が開放された三角柱状に形成され、背面部１８にはレンズ面部１４上に突出する遮光片部２６が設けられている。
【００２９】
遮光片部２６は、背面部１８に沿ってレンズ面部１４上に張り出す第一の遮光片２７と、背面部１４の両端部から前記レンズ面部１４に直交して突設された第二の遮光片２８とからなる。
【００３０】
第一の遮光片２７は、背面部の先端部２３より延設されており、全体長方形状である。第二の遮光片２８は、全体扇形状に形成され、第一の遮光片２７の長さ方向両端部に扇形状の直線状端部が連接して設けられ、レンズ面部１４側に、第一の遮光片２７の面に対して直角に折り曲げられている。
【００３１】
第二の遮光片２８の扇形状の直線状端部には略長方形状の第二係合突起部２９が設けられている。また、レンズ面部１４の長さ方向両端部のレンズ面部側端部１７にはレンズ面部１４から突出して略長方形状に設けられた係合部３０が形成され、係合部３０には、レンズ面部１４の長さ方向両端部の辺に沿って第二係合切込部３１が設けられている。第二係合突起部２９と第二係合切込部３１が係合して接合されている。
【００３２】
携帯電話載置面部１２は、市販されている携帯電話２１を載置しうる幅寸法及び長さ寸法を以って形成され、幅方向における反レンズ面部側端部１５には、携帯電話２１の幅方向一端部を携帯電話載置面部１２一般面から離間して支持することができる突起部３２が設けられている。
【００３３】
突起部３２は、携帯電話載置部１２に略半円弧状に切込みを設けて、半径線に沿って折り曲げて起立させることにより形成されており、端部１５側において、携帯電話載置部１２長さ方向に所定間隔を空けて２個所に設けられている。
【００３４】
図３に示すように、本実施の形態に係る表示画面拡大具１０を形成するシート１１は厚紙製であって全体長方形状に形成され、幅方向に沿って２か所に折り返し線６０、６１が設けられ、折り返し線６０、６１により携帯電話載置面部形成片部６２が形成されると共に、携帯電話載置面部形成片部６２の一端部側にはレンズ面部形成片部６３が連設されると共に、他端部側には背面部形成片部６４が連設されている。
【００３５】
携帯電話載置面部形成片部６２の幅寸法はレンズ面部形成片部６３の幅寸法と同一に形成されると共に、背面部形成片部６４は携帯電話載置面部形成片部６２よりも大きな幅寸法を以て形成されており、背面部形成片部６４の先端部側に第一の遮光片２７及び第二の遮光片２８が形成されるように構成されている。
【００３６】
以下、本考案に係る表示画面拡大具の第一の実施の形態における作用について説明する。
本考案に係る表示画面拡大具１０は、前記のような構成を有することから、１枚のシート１１を折り返し線６０，６１に沿って背面部形成片部６４及びレンズ面部形成片部６３を折り曲げ、各係合部２４，２５を係合させることにより、形成することが出来る。
【００３７】
また、例えば、携帯電話２１において動画等を再生した状態で、表示画面拡大具１０の長さ方向両端部に形成された開口の何れかより携帯電話載置面部１２に携帯電話２１の表示画面２２がレンズ面部１４側を向くように挿入して載置することにより、利用者は、前記レンズ面部１４に貼付固定された倍率３倍のシートレンズ２０越しに表示画面２２に表示された動画を鑑賞することが出来る。
【００３８】
このとき、突起部３２を垂直に起立させた状態で携帯電話２１を載置することにより、携帯電話２１の幅方向一端部側を携帯電話載置面部１２の一般面から持ち上げて離間させることにより、表示画面２２をレンズ面部１４に対して所定角度を以って傾斜して配置されるようにすることが出来る。
【００３９】
また、第一の遮光片２７が背面部１８に沿って、レンズ面部１４上方に張り出すように形成されているため、前記背面部１８側からのシートレンズ２０への入光は一定程度遮られる。同時に、第一の遮光片２７より延設された第二の遮光片２８が前記レンズ面部１４の長さ方向両端部の一部を覆うように形成されていることより、シートレンズ２０への両サイドからの入光が抑制される。
【００４０】
以下、本考案に係る表示画面拡大具の第二の実施の形態を、図面を参照して詳細に説明する。なお、同一部材については、同一の符号を付して説明を省略する。
【００４１】
図４に示すように、表示画面拡大具４０は、１枚のシート７０により構成されている。図５に示すように、シート７０は厚紙製であって全体長方形状に形成され、前記第一の実施の形態とは異なり、４本の折り返し線７１、７２、７３、７４が幅方向に沿って設けられている。
【００４２】
折り返し線７１により携帯電話載置面部形成片部６５が形成され、折り返し線７１及び７２の間にレンズ面部形成片部６６が形成され、折り返し線７２及び７３の間に遮光片支持面部形成片部６７が形成され、折り返し線７３及び７４の間に背面部形成片部６８が形成され、折り返し線７４により携帯電話載置面部支持面部形成片部６９が形成されている。
【００４３】
携帯電話載置面部支持面部形成片部６９には、携帯電話載置面部形成片部６５と重なり合わせた際、前記突起部３２へと重なり合う位置に、前記突起部３２と同形状に形成された突起部孔部５５が設けられている。
【００４４】
従って、シート７０により本実施の形態に係る表示画面拡大具４０を形成する場合には、折り返し線７１を介して携帯電話載置面部形成片部６５を折り返して携帯電話載置面部４８を形成すると共に折り返し線７４を介して携帯電話載置面部支持面部形成片部６９を折り返して携帯電話載置面部支持面部４９を形成する。
【００４５】
その後、携帯電話載置面部支持面部４９を携帯電話載置面部４８の裏面に接着剤により固定する。その後、背面部形成片部６８により形成された背面部４１の端部に設けられた第一の遮光片部５６に対して遮光片支持面部形成片部６７を当接させて接着剤により固定する。
【００４６】
最後に、レンズ面部４２に形成された一対の係合突起４６を背面部４１の第二の遮光片２８に形成されたスリット４４に係合させて破線７５に沿って折り曲げることにより第二の遮光片２８が形成される。
必要に応じて、表示画面拡大具４０下方側より、突起部３２を突起部孔部５５を通じて指で内方へ押し込み起立させる。その他の構成は第一の実施の形態に係る表示画面拡大具１０と同様である。
【００４７】
本実施の形態に係る表示画面拡大具４０にあっては、携帯電話載置面部４８の裏面側に携帯電話載置面部支持面部４９が固定されることにより携帯電話載置面部４８が補強されており、所定の重量を持つ携帯電話２１を繰り返し挿入載置して使用した場合であっても、重さにより全体形状が崩れることがなく、表示画面拡大具４０としての強度を保持できる。
【００４８】
また、第一の遮光片部５６はレンズ面部４２上に突出配置されるが、遮光片部支持面部形成片部６７により支持されることから、第一の遮光片部５６全体としての強度が向上し、持ち歩いたような場合であって、第一の遮光片部５６が物にぶつかった場合でも簡単には形状が崩れることのない表示画面拡大具４０を提供することができる。
【００４９】
第一の実施の形態に示した表示画面拡大具１０に比して、背面部４１には、係合切込部２４を有しておらず、係合切込部２４と係合する係合突起部２５が突出していないため、例えば、背面部４１にキャラクターの印刷を施した際には、視認の障害となるものがなく外観品質に優れる。
【００５０】
なお、本実施の形態に係る表示画面拡大具１０，４０はシートレンズ２０を適用する場合を例に説明した。シートレンズ２０は一般にフルネルレンズであるが、本実施の形態に限定されず、凸レンズを適用してもよい。
【産業上の利用可能性】
【００５１】
本考案に係る表示画面拡大具は、携帯電話の画面を拡大して視認できる拡大具であることから産業上の利用可能性を有している。
【符号の説明】
【００５２】
１０，４０    表示画面拡大具
１１，７０    シート
１２，４８    携帯電話載置面部
１３    携帯電話載置面部の先端部
１４，４２    レンズ面部
１５    携帯電話載置面部側端部
１６    先端部
１７    レンズ面部側端部
１８，４１    背面部
１９    開口部
２０    シートレンズ
２１    携帯電話
２２    表示画面
２３    背面部の先端部
２４    係合切込部
２５    係合突起部
２６    遮光片部
２７，５６    第一の遮光片
２８    第二の遮光片
２９    第二係合突起部
３０    係合部
３１    第二係合切込部
３２    突起部
４４    スリット
４６    係合突起
４９    携帯電話載置面部支持面部
５５    突起部孔部
６０，６１    折り返し線
６２，６５    携帯電話載置面部形成片部
６３，６６    レンズ面部形成片部
６７    遮光片支持面部形成片部
６４，６８    背面部形成片部
６９    携帯電話載置面部支持面部形成片部
７１，７２，７３，７４    折り返し線
７５    破線
【図１】
0003195939.tif 000003
【図２】
0003195939.tif 000004
【図３】
0003195939.tif 000005
【図４】
0003195939.tif 000006
【図５】
0003195939.tif 000007